(57)【特許請求の範囲】
【請求項１】
室内空気を浄化させる第１清浄モジュールと、
室外空気を浄化させる第２清浄モジュールと、
前記第１清浄モジュールによって浄化された室内空気及び前記第２清浄モジュールによって浄化された室外空気をそれぞれ、または混合して吐出口を介して排出する空気混合部と、
室内及び室外の空気状態を測定するセンサ部と、
前記センサ部によって測定された室内及び室外の空気状態に基づいて前記第１清浄モジュール及び前記第２清浄モジュールを介して流入される空気の流量を調節して、動作モードを制御する制御部と、を含み、
前記動作モードは、
前記第１清浄モジュールによって室内空気だけを浄化して排出する室内清浄モードと、
前記第２清浄モジュールによって室外空気だけを浄化して室内に流入させる換気清浄モードと、
前記第１清浄モジュール及び前記第２清浄モジュールによって室内空気及び室外空気をそれぞれ浄化してから混合排出する室内及び換気清浄モードと、を含み、
前記空気混合部は、前記第１清浄モジュール及び前記第２清浄モジュールを介して流入される空気の流量をそれぞれ制御する第１モータ及び第２モータを含み、
前記制御部は、室内空気の二酸化炭素濃度が予め決定された第１基準値を超えるか、酸素濃度が予め決定された第２基準値未満である場合、前記第１モータ及び第２モータのＲＰＭ（Ｒｅｖｏｌｕｔｉｏｎｓ  ｐｅｒ  ｍｉｎｕｔｅ）をそれぞれ調節し、前記第１清浄モジュール及び前記第２清浄モジュールを介して流入される空気の流量を調節して前記換気清浄モードで動作するように制御する、換気清浄機。
【請求項２】
前記制御部は、室内空気の二酸化炭素濃度が前記第１基準値を超えるか、酸素濃度が前記第２基準値未満であり、室内空気と室外空気の温度差が予め決定された第３基準値を超える場合、前記第１モータ及び第２モータのＲＰＭ（Ｒｅｖｏｌｕｔｉｏｎｓ  ｐｅｒ  ｍｉｎｕｔｅ）をそれぞれ調節し、前記第１清浄モジュール及び前記第２清浄モジュールを介して流入される空気の流量を調節して前記室内及び換気清浄モードで動作するように制御する、請求項１に記載の換気清浄機。
【請求項３】
前記制御部は、室内空気の埃量または室外空気の埃量がそれぞれ予め決定された第４基準値または第５基準値を超える場合、前記第１モータ及び第２モータのＲＰＭ（Ｒｅｖｏｌｕｔｉｏｎｓ  ｐｅｒ  ｍｉｎｕｔｅ）をそれぞれ調節し、前記第１清浄モジュール及び前記第２清浄モジュールを介して流入される空気の流量を調節して前記室内清浄モードで動作するように制御する、請求項１に記載の換気清浄機。
【請求項４】
前記センサ部は、空気中の二酸化炭素または酸素の濃度を測定するガスセンサ、空気の温度を測定する温度センサ、空気中に含まれている埃量を測定する埃センサ、空気の湿度を測定する湿度センサ、及び空気中のラドン濃度を測定するラドンセンサのうち一つ以上を含む、請求項１乃至３のいずれかに記載の換気清浄機。
【請求項５】
前記センサ部によって測定された室内及び室外の空気状態、及び前記室内及び室外の空気状態に応じて予め決定された行動指針に対する情報をディスプレイするディスプレイ部をさらに含む、請求項１乃至３のいずれかに記載の換気清浄機。
【請求項６】
無線通信を行う無線通信部をさらに含み、
前記制御部は、前記無線通信部を介して受信した信号に基づいて前記動作モードを制御する、請求項１乃至３のいずれかに記載の換気清浄機。
【請求項７】
無線通信を行う無線通信部をさらに含み、
前記制御部は、前記センサ部によって測定された室内及び室外の空気状態、及び前記室内及び室外の空気状態に応じて予め決定された行動指針に対する情報を前記無線通信部を介して携帯端末に伝送する、請求項１乃至３のいずれかに記載の換気清浄機。
【請求項８】
室内空気を浄化させる室内清浄モジュール、及び室外空気を浄化させる室外清浄モジュールを備える換気清浄機の制御方法において、
室内空気及び室外空気の状態を測定する段階と、
室内空気の二酸化炭素濃度が予め決定された第１基準値を超えるか、酸素濃度が予め決定された第２基準値未満であるか否かを確認する段階と、
室内空気の二酸化炭素濃度が前記第１基準値を超えるか、酸素濃度が前記第２基準値未満である場合、室内空気と室外空気の温度差を確認する段階と、
前記温度差に応じて、第１モータ及び第２モータのＲＰＭ（Ｒｅｖｏｌｕｔｉｏｎｓ  ｐｅｒ  ｍｉｎｕｔｅ）をそれぞれ調節し、前記室内清浄モジュール及び前記室外清浄モジュールを介して流入される空気の流量を調節し、室外空気を浄化して室内に流入させる換気清浄モード、または室内空気及び室外空気をそれぞれ浄化してから混合排出する室内及び換気清浄モードで動作するように制御する段階と、を含み、
室内空気の二酸化炭素濃度が前記第１基準値を超えるか、酸素濃度が前記第２基準値未満であり、室内空気と室外空気の温度差が予め決定された第３基準値を超える場合、前記第１モータ及び第２モータのＲＰＭ（Ｒｅｖｏｌｕｔｉｏｎｓ  ｐｅｒ  ｍｉｎｕｔｅ）をそれぞれ調節し、前記室内清浄モジュール及び前記室外清浄モジュールを介して流入される空気の流量を調節して前記室内及び換気清浄モードで動作するように制御する、換気清浄機の制御方法。
【請求項９】
室内空気の二酸化炭素濃度が前記第１基準値以下であるか、酸素濃度が前記第２基準値以上である場合、室内空気の埃量または室外空気の埃量がそれぞれ予め決定された第４基準値または第５基準値を超えるか否かを確認する段階と、
室内空気の埃量または室外空気の埃量がそれぞれ前記第４基準値または前記第５基準値を超える場合、前記第１モータ及び第２モータのＲＰＭ（Ｒｅｖｏｌｕｔｉｏｎｓ  ｐｅｒ  ｍｉｎｕｔｅ）をそれぞれ調節し、前記室内清浄モジュール及び前記室外清浄モジュールを介して流入される空気の流量を調節することで、室内空気だけを浄化して排出する室内清浄モードで動作するように制御する段階と、を含む、請求項８に記載の換気清浄機の制御方法。
【請求項１０】
室内のラドン濃度が予め決定された第６基準値以上であるか否かを確認する段階と、
前記室内のラドン濃度が前記第６基準値以上である場合、前記室内空気と室外空気の温度差に応じて前記換気清浄モードまたは前記室内及び換気清浄モードで動作するように制御する段階と、をさらに含む、請求項８に記載の換気清浄機の制御方法。
【発明の詳細な説明】
【技術分野】
【０００１】
本発明は、換気清浄機及びその制御方法に関するものである。
【背景技術】
【０００２】
換気清浄機は、室内空気を循環させる換気システム及び室内空気を浄化させる清浄システムがともに備えられた空気調和設備で、外気を室内に導入することで、フィルタを経て空気が室内に流入される構造を有する換気清浄機が開発されている。
【０００３】
これと関連し、下記先行技術文献に記載された特許文献１には換気清浄装置が開示されている。
【先行技術文献】
【特許文献】
【０００４】
【特許文献１】韓国公開特許第２００７−０１０７１９５号公報（公開日：２０１７．１１．０７．）
【発明の概要】
【発明が解決しようとする課題】
【０００５】
当該技術分野では、室内及び室外の空気状態に応じて換気清浄機の動作モードをより適切に制御するための方案が求められている。
【課題を解決するための手段】
【０００６】
上記課題を解決すべく、本発明の一実施形態は換気清浄機を提供する。上記換気清浄機は、室内空気を浄化させる第１清浄モジュールと、室外空気を浄化させる第２清浄モジュールと、上記第１清浄モジュールによって浄化された室内空気及び上記第２清浄モジュールによって浄化された室外空気をそれぞれ、または混合して吐出口を介して排出する空気混合部と、室内及び室外の空気状態を測定するセンサ部と、上記センサ部によって測定された室内及び室外の空気状態に基づいて上記第１清浄モジュール及び上記第２清浄モジュールの流路を調節するか、上記第１清浄モジュール及び上記第２清浄モジュールを介して流入される空気の流量を調節して動作モードを制御する制御部と、を含むことができる。
【０００７】
また、本発明の他の実施形態は換気清浄機の制御方法を提供する。上記換気清浄機の制御方法は、室内空気を浄化させる室内清浄モジュール、及び室外空気を浄化させる室外清浄モジュールを備える換気清浄機の制御方法において、室内空気及び室外空気の状態を測定する段階と、室内空気の二酸化炭素濃度が予め決定された第１基準値を超えるか、酸素濃度が予め決定された第２基準値未満であるか否かを確認する段階と、室内空気の二酸化炭素濃度が上記第１基準値を超えるか、または酸素濃度が上記第２基準値未満である場合、室内空気と室外空気の温度差を確認する段階と、上記温度差に応じて上記室内清浄モジュール及び上記室外清浄モジュールの流路または流量を調節することで室外空気を浄化し、室内に流入させる換気清浄モード、または室内空気及び室外空気をそれぞれ浄化してから混合排出する室内及び換気清浄モードで動作するように制御する段階と、を含むことができる。
【０００８】
さらに、上記課題を解決するための手段は、本発明の特徴をすべて列挙したものではない。本発明の様々な特徴及びそれによる長所並びに効果は、以下の具体的な実施形態を参照すると、より詳細に理解されることができる。
【発明の効果】
【０００９】
本発明の一実施例によると、室内及び室外の空気状態に応じて換気清浄機の動作モードをより適切に制御することにより、最適な室内空気を維持することができる。
【図面の簡単な説明】
【００１０】
【図１】本発明の一実施形態による換気清浄機の構成ブロック図である。
【図２】本発明の一実施形態による換気清浄機が室内清浄モードで動作する場合に形成された流路を示す図面である。
【図３】本発明の一実施形態による換気清浄機が換気清浄モードで動作する場合に形成された流路を示す図面である。
【図４】本発明の一実施形態による換気清浄機が室内及び換気清浄モードで動作する場合に形成された流路を示す図面である。
【図５】本発明の他の実施形態による換気清浄機の構成ブロック図である。
【図６】本発明の一実施形態による換気清浄機に備えられたディスプレイ部の一例を示す図面である。
【図７】本発明の他の実施形態による換気清浄機の制御方法を示す流れ図である。
【発明を実施するための形態】
【００１１】
以下では、添付の図面を参照し、本発明が属する技術分野において通常の知識を有する者が本発明を容易に実施することができるように好ましい実施例について詳細に説明する。但し、本発明の好ましい実施例を詳細に説明するにあたり、関連した公知の機能または構成に対する具体的な説明が本発明の要旨を不要にする可能性があると判断される場合は、その詳細な説明を省略する。また、類似した機能及び作用をする部分に対しては図面全体にわたって同一の符号を用いる。
【００１２】
なお、明細書全体において、ある構成が他の構成と「連結される」というのは、これら構成が「直接的に連結」される場合だけでなく、他の構成を間にして「間接的に連結」される場合も含むことを意味する。さらに、明細書全体において、ある構成要素を「含む」というのは、特に反対である記載がない限り、他の構成要素を除外するのではなく、他の構成要素をさらに含むことができることを意味する。
【００１３】
図１は本発明の一実施形態による換気清浄機の構成ブロック図である。
【００１４】
図１を参照すると、本発明の一実施形態による換気清浄機１００は、第１清浄モジュール１１０、第２清浄モジュール１２０、空気混合部１３０、吐出口１４０、センサ部１５０、制御部１６０、及びディスプレイ部１７０を含むことができ、必要に応じて、無線通信部１８０をさらに含むことができる。
【００１５】
第１清浄モジュール１１０は、室内空気を浄化させるためのもので、第１弁１１１、第１流路１１２、及び第１フィルタ１１３を含むことで構成されることができる。
【００１６】
第１弁１１１は、第１流路１１２の一端に備えられ、制御部１６０の制御に応じて開閉して室内空気の流路を形成するためのもので、第１弁１１１が開放されると、室内空気が第１流路１１２に流入されることができる。また、第１弁１１１は、一部開閉（即ち、開放率を調節）して、室内空気の流路を拡大または縮小する。これにより、室内空気の流量を調節することもできる。
【００１７】
第１流路１１２は、室内空気が移動する通路で、第１流路１１２の一端には第１弁１１１が備えられ、第１流路１１２の他端には第１フィルタ１１３が連結されることができる。
【００１８】
第１フィルタ１１３は、第１流路１１２の他端に連結されて、第１流路１１２を介して流入された室内空気を通過させて浄化させる。
【００１９】
第２清浄モジュール１２０は、室外から導入された室外空気を浄化させるためのもので、第２弁１２１、第２流路１２２、及び第２フィルタ１２３を含むことで構成されることができる。
【００２０】
第２弁１２１は、第２流路１２２の一端に備えられ、制御部１６０の制御に応じて開閉して室外空気の流路を形成するためのもので、第２弁１２１が開放されると、室外空気が第２流路１２２に流入されることができる。また、第２弁１２１は、一部開閉して室外空気の流路を拡大または縮小する。これにより、室外空気の流量を調節することもできる。
【００２１】
第２流路１２２は、室外空気が移動する通路で、第２流路１２２の一端には第２弁１２１が備えられ、第２流路１２２の他端には第２フィルタ１２３が連結されることができる。
【００２２】
第２フィルタ１２３は、第２流路１２２の他端に連結されて、第２流路１２２を介して流入された室外空気を通過させて浄化させる。
【００２３】
空気混合部１３０は、第１清浄モジュール１１０及び第２清浄モジュール１２０とそれぞれ連結されて、第１清浄モジュール１１０によって浄化された室内空気と第２清浄モジュール１２０によって浄化された室外空気を混合して吐出口１４０を介して排出することができる。
【００２４】
また、空気混合部１３０は、第１清浄モジュール１１０及び第２清浄モジュール１２０のうちいずれか一つの流路が閉鎖される場合は、流路が形成された一つの清浄モジュール（１１０または１２０）から排出された浄化された空気を吐出口１４０を介して排出することもできる。
【００２５】
このような空気混合部１３０は、両方向に回転することで空気の流れを発生する両吸込ファンで実現されることができる。
【００２６】
センサ部１５０は、室内及び室外の空気状態を測定するためのもので、例えば、空気中の二酸化炭素または酸素の濃度を測定するガスセンサ、空気の温度を測定する温度センサ、空気中に含まれている埃量を測定する埃センサ、空気の湿度を測定する湿度センサ、空気中のラドン濃度を測定するラドンセンサのうちいずれか一つ以上を含むことができる。
【００２７】
図１には換気清浄機１００がセンサ部１５０を含むように示されているが、必ずしもこれに制限されるものではない。
【００２８】
例えば、換気清浄機１００は、別のセンサから測定信号を受信することもできる。ここで、別のセンサは、換気清浄機１００が設置された空間の室内または室外に設置されたセンサであってもよい。また、換気清浄機１００は、別のセンサから測定信号を受信するために、無線通信部１８０をさらに含むことができ、無線通信部１８０は、ブルートゥース（登録商標）、Ｗｉ−Ｆｉ、３Ｇなどの無線通信技術によって実現されることができる。
【００２９】
この他にも、換気清浄機１００は、上述の無線通信部１８０を介して外部（例えば、気象庁などの気象情報提供機関またはメーカー）から空気状態関連信号を受信することもできる。
【００３０】
制御部１６０は、センサ部１５０によって測定された室内及び室外の空気状態に基づいて第１清浄モジュール１１０及び第２清浄モジュール１２０の流路を調節し、第１清浄モジュール１１０によって室内空気だけを浄化して排出する室内清浄モード、第２清浄モジュール１２０によって室外空気だけを浄化して室内に流入させる換気清浄モード、及び第１清浄モジュール１１０及び第２清浄モジュール１２０によって室内空気及び室外空気をそれぞれ浄化してから混合排出する室内及び換気清浄モードのうちいずれか一つで動作するように制御する。また、制御部１６０は、上述のとおり、無線通信部１８０を介して別のセンサまたは気象情報提供期間などから受信した信号に基づいて換気清浄機１００の動作モードを制御することもできる。
【００３１】
例えば、室内空気の二酸化炭素濃度が予め決定された基準値を超えるか、酸素濃度が予め決定された基準値未満である場合、または室内のラドン濃度が予め決定された基準値以上である場合、制御部１６０は、室外空気を浄化して室内に流入させる換気清浄モードで動作するように第１清浄モジュール１１０及び第２清浄モジュール１２０の流路を制御することができる。この場合、室内空気と室外空気の温度差をさらに考えた上で、第１清浄モジュール１１０及び第２清浄モジュール１２０の流路を制御することにより、室内空気温度の急激な変化を防止することができる。
【００３２】
また、室内空気の埃量または室外空気の埃量が予め決定された基準値を超える場合、制御部１６０は、室内空気だけを浄化して排出することで、室内清浄モードで動作するように第１清浄モジュール１１０及び第２清浄モジュール１２０の流路を制御することができる。
【００３３】
また、制御部１６０は、室内空気の湿度及び室外空気の湿度並びに室内空気の温度に基づいて、室内空気が適切な湿度を維持することができるように第１清浄モジュール１１０及び第２清浄モジュール１２０の流路を制御することができる。
【００３４】
室内空気の温度による湿度は、下記表１のとおり示すことができる。また、制御部１６０は、室内空気の温度による湿度を維持することができるように第１清浄モジュール１１０及び第２清浄モジュール１２０の流路を制御することができる。
【００３５】
例えば、室内空気の温度が３０℃、湿度が８０％であり、室外空気の温度が２７℃、湿度が６０％である場合、第２清浄モジュール１２０の流路を開放させて相対的に乾燥した室外空気が室内に流入されるようにすることで、室内空気の湿度を低くすることができる。
【００３６】
【表１】
0006695862.tif 000002
【００３７】
上述の制御部１６０は、例えば、中央処理装置（ＣＰＵ）、グラフィック処理装置（ＧＰＵ）、マイクロプロセッサ、注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、Ｆｉｅｌｄ  Ｐｒｏｇｒａｍｍａｂｌｅ  Ｇａｔｅ  Ａｒｒａｙｓ（ＦＰＧＡ）などのプロセッサで実現されることができる。
【００３８】
ディスプレイ部１７０は、センサ部１５０によって測定された室内及び室外空気の状態（例えば、二酸化炭素濃度、ラドン濃度、埃量による汚染度、温度及び相対湿度など）をディスプレイすることができる。また、ディスプレイ部１７０は、センサ部１５０によって測定された室内及び室外空気の状態に基づいて所定の行動指針（例えば、外出可能、外出自制、マスクの準備など）に対する情報をディスプレイすることもできる。
【００３９】
また、上述のとおり、換気清浄機１００が無線通信部１８０を含む場合、制御部１６０の制御に応じてディスプレイ部１７０にディスプレイされる情報が、無線通信部１８０を介して使用者が所持する携帯端末（例えば、スマートフォン、タブレットなど）に伝送され、携帯端末を介して上述の情報がディスプレイされることができる。
【００４０】
このために、携帯端末には換気清浄機１００との連動のためのアプリケーションが設置されることができる。携帯端末は、設置されたアプリケーションを介して換気清浄機１００から受信した情報をディスプレイする。さらに、アプリケーションを介して換気清浄機１００の動作を制御することもできる。
【００４１】
図２は本発明の一実施形態による換気清浄機が室内清浄モードで動作する場合に形成された流路を示す図面である。
【００４２】
図２を参照すると、室内空気の埃量または室外空気の埃量が予め決定された基準値を超える場合、制御部１６０は、第１清浄モジュール１１０によって室内空気だけを浄化して排出する室内清浄モードで動作するように第１清浄モジュール１１０及び第２清浄モジュール１２０の流路を制御することができる。
【００４３】
具体的には、制御部１６０は、第１清浄モジュール１１０の第１弁１１１を開放し、第２清浄モジュール１２０の第２弁１２１を閉鎖することにより、図２に示されたとおり、室内空気の流路だけが形成されるようにすることができる。
【００４４】
この場合、制御部１６０は、室内空気の埃量に応じて、埃量が多いと第１弁１１１の開閉角度を調節して流路を拡大し、埃量が少ないと流路を縮小することもできる。
【００４５】
図３は本発明の一実施形態による換気清浄機が換気清浄モードで動作する場合に形成された流路を示す図面である。
【００４６】
図３を参照すると、室内空気の二酸化炭素濃度が予め決定された基準値を超える場合、制御部１６０は、第２清浄モジュール１２０によって室外空気を浄化して室内に流入させる換気清浄モードで動作するように第１清浄モジュール１１０及び第２清浄モジュール１２０の流路を制御することができる。
【００４７】
具体的には、制御部１６０は、第１清浄モジュール１１０の第１弁１１１を閉鎖し、第２清浄モジュール１２０の第２弁１２１を開放することにより、図３に示されたとおり、室外空気の流路だけが形成されるようにすることができる。
【００４８】
この場合、制御部１６０は、室内空気の二酸化炭素濃度に応じて、濃度が高いと第２弁１２１の開閉角度を調節して流路を拡大し、濃度が低いと流路を縮小することもできる。
【００４９】
図４は本発明の一実施形態による換気清浄機が室内及び換気清浄モードで動作する場合に形成された流路を示す図面である。
【００５０】
図４を参照すると、室内空気の二酸化炭素濃度が予め決定された基準値を超え、且つ、室内空気と室外空気の温度差が予め決定された基準値を超える場合、制御部１６０は、第１清浄モジュール１１０及び第２清浄モジュール１２０によって室内空気及び室外空気をそれぞれ浄化してから混合排出する室内及び換気清浄モードで動作するように第１清浄モジュール１１０及び第２清浄モジュール１２０の流路を制御することにより、室内の空気温度の急激な変化を防止することができる。
【００５１】
具体的には、制御部１６０は、第１清浄モジュール１１０の第１弁１１１及び第２清浄モジュール１２０の第２弁１２１をともに開放することにより、図４に示されたとおり、室内空気及び室外空気の流路がそれぞれ形成されるようにすることができる。
【００５２】
この場合、制御部１６０は、室内空気と室外空気の温度差に応じて、温度差が大きいと第２弁１２１の開閉角度を調節して流路を縮小し、温度差が小さいと第２弁１２１の開閉角度を調節して流路を拡大することができる。
【００５３】
例えば、室内空気と室外空気の温度差が７℃以上である場合、制御部１６０は、第１弁１１１を１００％開放し、第２弁を２０％だけ開放することができる。但し、室内空気の二酸化炭素濃度が一定の濃度以上である場合は、第２弁を５０％以上開放することができる。
【００５４】
また、室内空気と室外空気の温度差が５℃以上である場合、制御部１６０は、第１弁１１１を１００％開放し、第２弁を４０％だけ開放することができる。
【００５５】
なお、室内空気と室外空気の温度差が３℃以下である場合、制御部１６０は、第１弁１１１を０〜５０％開放し、第２弁を１００％開放することができる。但し、第１弁１１１の開放率は室内空気の二酸化炭素濃度または酸素濃度に応じて調節することができる。
【００５６】
上述の例において、温度差の判断基準と第１弁及び第２弁の開放率は一例に過ぎず、設計者によって変更されることができる。
【００５７】
図５は本発明の他の実施形態による換気清浄機の構成ブロック図である。
【００５８】
図５に示された換気清浄機２００及び図１に示された換気清浄機１００は、第１清浄モジュール２１０及び第２清浄モジュール２２０と空気混合部２３０の詳細構成において一部が異なる。これにより、換気清浄機２００の動作モードを制御する方法も異なり、残りは同一である。以下、差異点がある構成及び方法を中心に説明する。
【００５９】
第１清浄モジュール２１０及び第２清浄モジュール２２０は、流路を制御するための弁を備えず、第１流路２１２及び第１フィルタ２１３と第２流路２２２及び第２フィルタ２２３だけを含んで構成されることができる。
【００６０】
また、空気混合部２３０は、図２〜図４に示されたように一つの両吸込ファンで構成されるものではなく、第１清浄モジュール２１０及び第２清浄モジュール２２０から流入される空気の流量をそれぞれ制御するための第１モータ２３１及び第２モータ２３２を含むことで構成されることができる。
【００６１】
また、制御部２６０は、センサ部２５０によって測定された室内及び室外の空気状態に基づいて、第１清浄モジュール２１０及び第２清浄モジュール２２０を介して流入される空気の流量を調節することで、上述の室内清浄モード、換気清浄モード、及び室内及び換気清浄モードのうちいずれか一つで動作するように制御する。
【００６２】
例えば、室内空気の二酸化炭素濃度が予め決定された基準値を超えるか、酸素濃度が予め決定された基準値未満である場合、または室内のラドン濃度が予め決定された基準値以上である場合、制御部２６０は、第１モータ２３１及び第２モータ２３２のＲＰＭ（Ｒｅｖｏｌｕｔｉｏｎｓ  ｐｅｒ  ｍｉｎｕｔｅ）をそれぞれ調節することにより、第１清浄モジュール２１０及び第２清浄モジュール２２０を介して流入される空気の流量を調節することで、換気清浄モードで動作するように制御することができる。この場合、室内空気と室外空気の温度差をさらに考えた上、第１清浄モジュール２１０及び第２清浄モジュール２２０を介して流入される空気の流量を調節することにより、室内空気の温度の急激な変化を防止することができる。
【００６３】
また、室内空気の埃量または室外空気の埃量が予め決定された基準値を超える場合、制御部２６０は、第１モータ２３１及び第２モータ２３２のＲＰＭをそれぞれ調節することにより、第１清浄モジュール２１０及び第２清浄モジュール２２０を介して流入される空気の流量を調節することで、室内清浄モードで動作するように制御することができる。
【００６４】
図６は本発明の一実施形態による換気清浄機に備えられたディスプレイ部の一例を示す図面である。
【００６５】
図６に示されたとおり、ディスプレイ部１７０は、室内空気に対しては、埃センサによって測定された汚染度（または清浄度）を色相変化などの方法でディスプレイすることにより、使用者が直感的に室内空気の汚染度を確認できるようにすることができる。
【００６６】
また、ディスプレイ部１７０は、室外空気に対しては、埃センサによって測定された汚染度に加え、二酸化炭素濃度を色相変化などの方法でディスプレイすることにより、使用者が直感的に室外空気の汚染度を確認できるようにすることができる。
【００６７】
なお、ディスプレイ部１７０は、室内及び室外空気の状態に基づいて所定の行動指針（例えば、外出可能、外出自制、マスクの準備など）に対する情報をディスプレイすることもできる。
【００６８】
図７は本発明の他の実施形態による換気清浄機の制御方法を示す流れ図である。
【００６９】
図７を参照すると、まず、様々なセンサ（例えば、ガスセンサ、埃センサ、温度センサ、ラドンセンサなど）を用いて室内空気及び室外空気の状態を測定する（Ｓ１０）。
【００７０】
次に、室内空気の二酸化炭素濃度が予め決定された基準値を超えるか、酸素濃度が予め決定された基準値未満であるか否かを確認する（Ｓ２０）。
【００７１】
室内空気の二酸化炭素濃度が予め決定された基準値を超える（または、酸素濃度が予め決定された基準値未満である）場合、室内空気と室外空気の温度差を確認し（Ｓ３０）、温度差に応じて室内及び室外流路を調節し、室外空気を浄化して室内に流入させる換気清浄モード、または室内空気及び室外空気をそれぞれ浄化してから混合排出する室内及び換気清浄モードで動作するように制御する（Ｓ４０）。
【００７２】
一方、室内空気の二酸化炭素濃度が予め決定された基準値以下（または酸素濃度が予め決定された基準値以上）である場合、室内空気の埃量または室外空気の埃量が予め決定された基準値を超えるか否かを確認する（Ｓ５０）。
【００７３】
室内空気の埃量または室外空気の埃量が予め決定された基準値を超える場合、室内流路だけを開放し、室内空気だけを浄化して排出する室内清浄モードで動作するように制御する（Ｓ６０）。
【００７４】
また、図７に示されてはいないが、上述の段階Ｓ２０において室内のラドン濃度が予め決定された基準値以上であるか否かを確認し、これに該当すると、二酸化炭素濃度が予め決定された基準値を超える場合と同様に、換気清浄モードまたは室内及び換気清浄モードで動作するように制御することができる。
【００７５】
ここで、それぞれのモードにおける室内流路及び室外流路を制御する具体的な方法は、図２〜図４を参照して上述したとおりであるため、これに対する詳細な説明は省略する。
【００７６】
以上のように、本発明は、限定された実施例及び図面によって説明されたが、本発明はこれによって限定されず、本発明が属する技術分野で通常の知識を有する者によって本発明の技術思想及び添付の特許請求の範囲の均等範囲内で多様な修正及び変形が可能であることはもちろんである。
【図１】
0006695862.tif 000003
【図２】
0006695862.tif 000004
【図３】
0006695862.tif 000005
【図４】
0006695862.tif 000006
【図５】
0006695862.tif 000007
【図６】
0006695862.tif 000008
【図７】
0006695862.tif 000009